(57)【特許請求の範囲】
【請求項１】
壁またはフレームにクラッディングシートを取り付けるための目地板であって、前記目地板が、中間ウェブによって結合される一対の一定の間隔で置かれた側壁を有する細長いチャネル部材と、ウェブから外方に一定の間隔で置かれ、そして側壁から横方向に延在する対応する一対の取付けフランジとを備え、ウェブが、壁またはフレームに連結されるように構成され、フランジが、固定具要素によってクラッディングシートに連結されるように構成され、フランジの少なくとも１つが、クラッディングシートと目地板とのあいだの二次元における限られた範囲での相対横方向移動が、固定具要素の回動によって受け入れられるように、使用中、クラッディングシートと取付けフランジとのあいだにクリアランススペースを設けるように構成される、長手方向に延在する凹型チャネルを含む目地板。
【請求項２】
前記フランジのそれぞれが、それぞれ長手方向に延在する凹型チャネルを含んでいる請求項１記載の目地板。
【請求項３】
前記ウェブが、使用中、前記ウェブを通って延在する固定ねじの回動によって、通常の方向において、前記目地板と、前記壁もしくはフレームとのあいだの、または、逆の方向において、前記目地板と前記クラッディングシートとのあいだの二次元における限られた範囲での横方向移動を可能とするように形成される長手方向に延在する凹型チャネルを含んでいる請求項１記載の目地板。
【請求項４】
使用中に、前記クラッディングシートに付加される応力が、前記目地板の優先的変形を生ずるように形成される請求項１、２または３記載の目地板。
【請求項５】
前記変形が、モードにおいて弾性変形である請求項４記載の目地板。
【請求項６】
前記変形が、モードにおいて塑性変形である請求項４記載の目地板。
【請求項７】
前記目地板の側壁の１つを移動するのに必要とされる力が、前記クラッディングシートの水分含有量における変化の結果として、予想される動きまたは収縮のため、前記クラッディングシートにおける破壊を通常誘発する力未満である請求項４、５または６記載の目地板。
【請求項８】
前記目地板が、現場で通常付加されることが予想される応力によって、前記側壁における予め定められた範囲での曲げ変形を誘発するように、予め選択された特性のクラッディングシートに調整される請求項４、５、６または７記載の目地板。
【請求項９】
前記チャネルが、ほぼＵ形状である請求項４、５、６、７または８記載の目地板。
【請求項１０】
前記チャネルが、ほぼΩ形状である請求項４、５、６、７または８記載の目地板。
【請求項１１】
前記チャネルが、ほぼＶ形状である請求項４、５、６、７または８記載の目地板。
【請求項１２】
前記側壁が、前記ウェブから取付けフランジの方に外方に広がる請求項４、５、６、７、８、９、１０または１１記載の目地板。
【請求項１３】
前記フランジが、セルフタッピングねじによって、前記クラッディングシートに連結されるように構成されている請求項４、５、６、７、８、９、１０、１１または１２記載の目地板。
【請求項１４】
前記取付けフランジにおける前記凹型チャネルが、排水を容易にするように構成され、それによって、不都合な風雨にさらされた状態において水の侵入を防止する請求項１、２、３、４、５、６、７、８、９、１０、１１、１２または１３記載の目地板。
【請求項１５】
請求項１、２、３、４、５、６、７、８、９、１０、１１、１２、１３または１４のいずれか一項に定義される前記目地板を使用して、クラッディングシートを壁またはフレームに取り付ける方法であって、前記方法は、前記クラッディングシートに付加される応力が、固定具要素の回動によるクラッディングシートと目地板とのあいだの二次元における限られた範囲での相対横方向移動によって受け入れられるように、固定ねじで、前記各目地板のウェブを前記壁またはフレームに固定することによって、一定の間隔で置かれたほぼ平行関係の状態に複数の前記目地板を位置決めする工程と、固定ねじで、各クラッディングシートの長手方向エッジを前記目地板のそれぞれの取付けフランジに固定する工程とを含む方法。
【請求項１６】
前記シート用の内部支持を設けるために、前記シートの外側エッジ間の中間位置に、いくつかの目地板を位置決めする別の工程を含む請求項１５記載の方法。
【請求項１７】
前記シートの外側エッジ間の中間位置に位置決めされた少なくともいくつかの前記目地板が、逆の方向に固定され、前記フランジが、前記フレームまたは前記壁に固定され、そして、前記クラッディングシートが、前記ウェブに固定されている請求項１６記載の方法。
【請求項１８】
前記ウェブが、通常の方向において、前記壁またはフレームと、前記ウェブとのあいだに、クリアランススペースを設けるように、そして、逆の方向において、前記クラッディングシートと前記ウェブとのあいだにクリアランススペースを設けるように形成される、長手方向に延在する凹型チャネルを含んでいる請求項１７記載の方法。
【請求項１９】
前記ウェブチャネルが、前記ウェブを通って延在する限られた範囲での前記固定ねじの回動を受け入れるように形成され、それによって、逆の方向において、前記クラッディングシートと前記目地板とのあいだの、または、通常の方向において、前記側壁の優先的変形によって受け入れられる相対移動と無関係に、前記壁もしくはフレームと、前記目地板とのあいだの二次元における限られた範囲での相対横方向移動を可能とする請求項１８記載の方法。
【請求項２０】
前記変形が、モードにおいて弾性変形である請求項１９記載の方法。
【請求項２１】
前記変形が、モードにおいて塑性変形である請求項１９記載の方法。
【請求項２２】
壁またはフレームにクラッディングシートを取り付けるための目地板組立体であって、前記組立体が、請求項１、２、３、４、５、６、７、８、９、１０、１１、１２、１３または１４記載の目地板、および対応する密閉ストリップを含み、前記密閉ストリップが、それぞれ互いに対向する溝内に係留して、かつ密閉状に保持される長手方向エッジで、前記チャネルの開口部分全体にわたって延在し、閉鎖するように構成されている目地板組立体。
【請求項２３】
前記対向する溝のおのおのが、前記側壁の１つと前記チャネル部材の対応する側のフランジの関連した１つとのあいだに形成された肩部に形成されてなる請求項２２記載の目地板組立体。
【請求項２４】
前記ストリップの長手方向の端部構造が、それぞれの前記対向する溝に密閉固定されるよう構成されており、前記チャネル部材の開かれたチャネル部分に湿気が進入するのを防ぐ請求項２２または２３記載の目地板組立体。
【請求項２５】
前記密閉ストリップが、最初は前記目地板の肩部に形成される前記対向する溝にスプリング嵌め合いされてなる請求項２２、２３または２４記載の目地板組立体。
【請求項２６】
前記密閉ストリップが、前記対向する溝に固定されたときに、前記チャネル部材のフランジの端の境界で盛り上がって位置していることにより、取り付けられたクラッディングシートに固定するときに第１の接触シールを提供するように構成されてなる請求項２２、２３、２４または２５記載の目地板組立体。
【請求項２７】
前記チャネル部材のそれぞれのフランジが、取り付けられるクラッディングシートに固定されるときに第２の接触シールを提供するように構成された突出した領域を含む請求項２６記載の目地板組立体。
【請求項２８】
前記チャネル部材および密閉ストリップが、前記目地板の一方の側に、それぞれの第１の接触シールと第２の接触シールとのあいだに長手方向の第１の排出チャネルを形成するように構成されてなる請求項２７記載の目地板組立体。
【請求項２９】
前記取付けフランジに形成された凹状チャネルが、対応する前記第１の排水チャネルの外側に設けられた、それぞれの第２の排水チャネルを形成する請求項２８記載の目地板組立体。
【発明の詳細な説明】
【０００１】
［技術分野］
本発明はメーソンリー（組積造）またはスチールフレーム構造部全体にわたりクラッディングシートを取り付ける方法および装置に関する。本発明は主として、繊維強化セメントクラッディングシートに使用されるために開発されたものであり、以下に本適用に関して記述されている。しかしながら、本発明が他のクラッディング材料にも適用可能であることは明らかである。
【０００２】
［背景技術］
目地板は、以前には、ファサードおよび鼻隠しクラッディングシステムにおいて本出願人によって使用されていた。これらの目地板は、反転したＵ−形状断面および外方に広げられたエッジフランジにより、「シルクハット」と呼ばれることがある。これらの目地板またはシルクハットの機能は、クラッディングシートの連結を設けるための平面固定フレームを供給することである。当業者に明らかなように、均質でない表面全体にわたりクラッディングシートを適用するとき、クラッディングシートが取り付けられるフレームが平面であることが重要である。パッキング材料およびシルクハット型目地板に関連するスペーサの追加によって、このような平面固定フレームを得ることが可能である。
【０００３】
従来より知られているクラッディングシステムの例示が、図１〜３に示されている。図１は、複数のクラッディングシート１１で覆われた壁１０の正面図である。各クラッディングシートは、目地板２０によって長手方向エッジ１２に沿って支持されている。これは、２つの隣接したシート１１を相互連結する目地板の断面図である、図２により明らかに見ることが可能である。各目地板は、エッジフランジ２７を通って延在する取付けねじ２６によって、隠されるフレームまたは壁に連結された一対の側面２３で構成されるチャネル部材によって形成されている。中間ウェブ２８は、ねじ２９によって固定されるクラッディングシートを支持するために、壁から外方に一定の間隔で置かれているプラットフォームを形成する。ウェブ２８は、２つのシート１１のあいだにある接合部３０を横切って延在するのに充分な幅である。目地板２０は、クラッディングシートへの負荷に適合するように、ほぼ一定の間隔で置かれている。必要な場合、追加の中間目地板２１（図１および図３参照）を設けることができる。
【０００４】
このようなシルクハット型目地板セクションは、クラッディングシートに固定箇所を与えるために、構造要素を橋渡しするシルクハット型目地板を用いて、壁１０の主要構造フレーム要素が一層離れた間隔で置かれることを可能とすることを、出願人は見出した。これにより、枠組するのに必要とされる材料と労力との両方に関して、かなりのコストが低減されることが明らかであろう。
【０００５】
しかし、従来のシルクハット型目地板は、いくつかの欠点を有している。最初に、それらは、一般に、クラッディングシステムの適切な耐侯性を設けるために、ガスケット３１と、バッキングストリップ３２と、封止剤とを必要とする。このようなガスケットおよびバッキングストリップと関連する追加のコストは別にして、不充分な設置テクニックにより、クラッディングシートのミスアラインメントと、エッジに沿って過度の圧力を加えることからのシートへの損傷と、不適切な防水処理加工とを結果として生ずることがある。そのプロセスは、さらに、大きな労働力を要する。
【０００６】
そのうえ、シルクハット型目地板のプラットフォームセクション２８の全体として狭い幅は、図２に示されるように、シートエッジに近接して位置される固定具を必要とする。このような固定具が、シートエッジに近接して数ミリメートルに位置される場合、またはシートが正確に固定されない場合、固定具の線に沿うシートエッジの破損または「破壊」が生ずることがある。
【０００７】
最後に、使用中、応力が、内部から、または外部からのいずれかでクラッディングシートに加えられることがあり、従来のクラッディングシステムの強度、耐侯性、または耐久性を妥協して解決することが可能であることが明らかであろう。たとえば、外部応力は、負荷によって、またはサブフレームもしくは目地板自体の熱膨張または収縮によって、クラッディングシートに加えられることがある。内部応力は、たとえば、水分の動き、炭化による収縮などのため、繊維強化シート内から発生することがある。いずれにせよ、このような応力は、システムにおけるさまざまな要素の早い時期での摩耗、漏れ、破損などへと導くことがある。
【０００８】
本発明は従来技術のこれらの不都合な点の１つ以上を実質的に解消するか、または改善するか、もしくは、少なくとも有用な別の方法を提供するものである。
【０００９】
［発明の開示］
広い態様において、本発明は、壁またはフレームにクラッディングシートを取り付けるための目地板を提供し、前記目地板は、中間ウェブによって結合される一対の一定の間隔で置かれた側壁を有する細長いチャネル部材と、ウェブから外方に一定の間隔で置かれ、そして側壁から横方向に延在する対応する対の取付けフランジとを備え、前記ウェブが、壁またはフレームに連結されるように構成され、フランジが、固定具要素によってクラッディングシートに連結されるように構成され、そして、目地板は、使用中、クラッディングシートに加えられる応力が目地板の優先的変形を結果として生ずるように構成されている。
【００１０】
その変形は、モードにおいて弾性変形であることが好ましいが、別の方法として、塑性変形であるか、または、弾性変形と塑性変形との組み合わせであってもよい。目地板の側壁の１つを移動するのに必要とされる力は、水分含有量の変化の結果として、予想された動きまたは収縮により、クラッディングシートにおける破損を通常引き起こす力未満であることが好ましい。好ましい実施の形態において、目地板は、側壁が、予め選択された寸法、厚さ、材料組成、水分含有量およびその他特定の特性の対応するクラッディングシートによって加えられる可能性のある応力により、予め定められた量だけ曲がるように形成されている。この方法で、目地板は、個々に、クラッディングシートとそれらの特定の適用に調整されることが可能である。
【００１１】
チャネル部材は、ほぼＵ、オメガ（Ω）またはＶ形状に形成されることが好ましい。側壁は、ウェブから取付けフランジの方に外方に広がることが好ましいが、他の実施の形態において、別の方法として、ほぼ平行であるか、または、内方に先細りでもよい。側壁は、選択的に、間隔が置かれたアーム、タブ、指状部、突出部などによって断続的には形成されてもよい。
【００１２】
好ましい実施の形態において、本発明は、さらに、使用中、側壁のあいだに、目地板の開口チャネル部分を閉鎖する密閉ストリップを提供している。さらに、好ましい実施の形態において、クラッディングシートは、理想的には、セルフタッピングねじの形状である、分離した固定具要素によって、取付けフランジに連結されている。
【００１３】
取付けフランジは、使用中、クラッディングシートと取付けフランジとのあいだにクリアランススペースを設けるために、それぞれ長手方向に延在する凹型チャネルで形成されることが好ましい。このクリアランススペースを通って延在することによって、取付けねじは、限られた範囲での回動を受け入れるように配置されることが好ましく、シートの平面において、クラッディングシートと目地板とのあいだの二次元における限られた範囲での相対横方向移動を可能とする。凹型チャネルは、さらに、排水を容易にするという利点があり、それによって、不都合な風雨にさらされた状態において、水の侵入を防止するのに役立つ。
【００１４】
第２の態様によれば、本発明は、前に定義されるような目地板を使用して、壁またはフレームにクラッディングシートを取り付ける方法を提供し、前記方法は、クラッディングシートに加えられる応力が、目地板の１つ以上の優先的変形を結果として生ずるように、各目地板のウェブを壁またはフレームに固定することによって、一定の間隔で置かれたほぼ平行関係の状態に複数の前記目地板を位置決めする工程と、選択された目地板のそれぞれの取付けフランジに各クラッディングシートの長手方向エッジを固定する工程とを含んでいる。
【００１５】
好ましい実施の形態において、シートの外側エッジ間に位置決めされる目地板が、シート用の中間内部支持を設けるために、逆の方向に使用されるように構成されている。この逆の方向において、フランジは、フレームまたは壁に連結されることが好ましく、そして、クラッディングシートは、ウェブに連結されている。
【００１６】
ウェブは、さらに、通常の方向において、壁またはフレームと、ウェブとのあいだに、そして逆の方向において、クラッディングシートとウェブとのあいだに、クリアランススペースを設けるように形成される、長手方向に延在する凹型チャネルを含んでいる。この配列により、側壁の曲げ変形によって受け入れられる相対移動と無関係に、逆の方向において、クラッディングシートと目地板とのあいだの、または、通常の方向において、壁またはフレームと、目地板とのあいだの二次元における限られた範囲での相対横方向移動を可能にするために、前述した方法で、ウェブの方に延在する取付けねじの回動を可能とする。
【００１７】
第３の態様によれば、本発明は、壁またはフレームにクラッディングシートを取り付けるための目地板を提供し、前記目地板は、中間ウェブによって結合される一対の一定の間隔で置かれた側壁と、ウェブから外方に一定の間隔で置かれ、そして側壁から横方向に延在する対応する対の取付けフランジとを有する細長いチャネル部材を備え、ウェブが、壁またはフレームに連結されるように構成され、フランジが、固定要素によってクラッディングシートに連結されるように構成され、フランジの少なくとも１つは、クラッディングシートと目地板とのあいだの二次元における限られた範囲での相対横方向移動が、固定要素の回動によって受け入れられるように、使用中、クラッディングシートと取付けフランジとのあいだにクリアランススペースを設けるように構成される、長手方向に延在する凹型チャネルを含んでいる。
【００１８】
２つのフランジは、それぞれ長手方向に延在する凹型チャネルを含むことが好ましく、そして、固定要素は、ねじであることが好ましい。
【００１９】
好ましい実施の形態において、目地板のウェブは、さらに、類似した方法で、それぞれの取付けねじの回動によって、通常の方向において、目地板と、壁もしくはフレームとのあいだの、または逆の方向において、目地板とクラッディングシートとのあいだの二次元における限られた範囲での相対横方向移動を可能にするように形成される、長手方向に延在する凹型チャネルを含んでいる。
【００２０】
発明の詳細な説明および請求の範囲全体を通して、明瞭に特記していない場合、用語「ｃｏｍｐｒｉｓｅ（備えている）」、「ｃｏｍｐｒｉｓｉｎｇ（備える）」などは、独占的な意味、または徹底的な意味に対抗するように包括的な意味で、すなわち、制限されるものではないが、「ｉｎｃｌｕｄｉｎｇ（含んでいる）」という意味で解釈されるものである。
【００２１】
本発明の好ましい実施の形態は、ここでは、単に実施例として、添付の図面を参照にして記述されている。
【００２２】
最初に、図４を参照すると、本発明の目地板１００は、中間ウェブ１１０によって連結されるアームまたは側壁１２０、１４０を有するほぼＵ形状のチャネル部材で構成されている。
【００２３】
側壁は、ウェブから外方に広がり、自由エッジから横方向に延在する対応するフランジ１２５、１４５で終端している。これらのフランジは、後述するようにクラッディングシートに連結されるように構成されている。他の実施の形態において、側壁は、ほぼ平行でも、先細りでも、湾曲しても、Ｖ形状でも、オメガ（Ω）形状でもよく、またはあらゆる他の適切な形状で形成されてもよい。
【００２４】
取り外し式密閉ストリップ２００は、図５に示されるように、それぞれの互いに対置する溝１７０内に係留して、かつ密閉状に保持される長手方向エッジ１６５で、チャネルの開口部分１６０全体にわたって延在し、そして閉鎖するように構成されている。この風雨用の密閉ストリップ２００の適切な設置は、図６に示されている。
【００２５】
図６は、さらに、目地板１００の設置を示している。中間ウェブ部分１１０は、最初に、隠される壁あるいはサブフレーム５０に連結される。このことは、従来技術（図１〜３参照）によって必要とされる一定の間隔で置かれた固定具の２つの列と異なって、固定具２５０の単一の列によって達成されることが可能であることは留意されるべきである。かなりのコストと時間の低減が、この態様のみから生ずる。それぞれのフランジ１２５、１４５を有して外方に延在する側壁１２０、１４０は、それによって、クラッディングシート３００を支持するように位置決めされる。各クラッディングシートの長手方向エッジ３１０は、固定ねじ３２５の対応する列によって固定される。
【００２６】
図７により明確に示されるように、目地板の間隔をあけることおよび方向付けは、シート接合の意図されたレイアウトに基づいている。このように、目地板は、各シート接合における隣接したクラッディングシート３００間に延在し、かつ支持するのに使用される。慣習的に、目地板およびシートは、クラッディングされる壁に沿って鉛直方向に延在している。しかしながら、目地板１００およびシート３００のいずれか一方、または両方が、水平もしくは中間傾斜などの他の方向に方向付けられることができる。
【００２７】
図７に示されるように、中間目地板１０５を使用することもできる。目地板１０５は、図４〜６に示される目地板１００と同一であるが、シートの内部領域を支持するために、逆の方向に設置されるのが好都合である。これらの中間目地板の配置は、図８により詳細に示されている。この場合、ウェブ１１０は、横方向に延在する取付けフランジ１２５、１４５によってフレームまたは壁に連結される側壁１２０、１４０を有しており、関連するクラッディングシート３００の内部領域に直接連結されている。
【００２８】
別の目地板が、図１０（通常の方向付け）と図１１（反対の方向付け）に示され、対応する特徴は、同一の参照符号によって示されている。この目地板は、前述したものと本質的に同じように機能するが、断面形状においてよりΩ形状に形成され、それゆえ、異なる変形特性を呈する。
【００２９】
当業者には明らかなように、本発明の目地板１００は、図２に示された従来技術の目地板に優るかなりの利点をもたらしている。最初に、目地板が、前述されているように、固定具２５０の単一の列によって、フレームまたは壁に固定されることができるという事実である。目地板１００は、さらに、隣接したクラッディングシート上の固定具３２５間の間隔が、図２から明らかなように、従来技術によって可能とされるものよりはるかに大きいということをもたらしている。それぞれのクラッディングシートの端縁からいっそう遠くに離れて固定具３２５を一定の間隔で置くことによって、固定具の列に沿うシート３００の破裂または破壊の可能性が、大いに減少される。
【００３０】
叙上に述べたことに加えて、目地板１００の側壁１２０、１４０は、シートに加えられるか、またはシートによって加えられる応力の結果として、優先的に、クラッディングシート全体にわたって変形するように形成されている。より詳細には、繊維強化セメントクラッディングシートなどのクラッディングシートの寸法は、使用時間中に変わることがある。いくつかのＦＲＣシートは、たとえば、水分、炭化などのために、膨張したり、または縮むことがある。クラッディングシート３００が縮むとき、応力は、支持目地板およびフレームとの連結を介して、シートのエッジ３１０に加えられる。周知の目地板について、この縮みは、エッジまたは他の場所のクラッディングシート３００の変形、亀裂、破壊などを引き起こすのに充分となる場合がある。
【００３１】
本発明は、クラッディングシート３００の変形または破壊に優先して、このような加えられた応力により曲がるように目地板１００を形成することによってこの問題を解消する。クラッディングシートが縮むとき、たとえば、支持目地板１００の側部１２０、１４０は、反応して外方に変形する。
【００３２】
類似の変形は、外部応力によっても生じる。たとえば、目地板１００は、特定の許容差内でのフレームまたは壁５０の熱膨張、負荷などにより、優先的に曲がり、それによって、実質的に、クラッディングシートをこのような応力から隔離する。
【００３３】
図面に示されるように、クラッディングシート３００は、パッキング、ガスケットなどなしに、目地板１００に直接連結されることが、さらに、好ましい。このことにより、材料コストを軽減し、労働時間を減少し、そして、固定ねじの過剰締め付けのために起こり得る困難を回避する。ねじ込みによってクラッディングシートを目地板に連結するとき、クラッディングシートは、フランジ１２５、１４５上に平らに位置すると、ねじ３２５のさらなる締め付けは必要とされない。このことは、シートと目地板とのあいだのパッキング、密閉ガスケットなどのために、ねじ固定具の過剰締め付けが生じ得るところの図２に示されるような従来技術と対照的である。
【００３４】
図４〜１１に示される好ましい形状は、さらに、耐侯性に関していくつかの利点を有している。設置のあいだ、そして、とくに、図６を参照すると、密閉ストリップ２００は、最初は、目地板１００の肩部に形成される互いに対置する溝１７０にスプリング嵌め合いされている。この位置において、密閉ストリップ２００は、フランジ１２５、１４５の端が盛り上がって位置している。クラッディングシート３００は、そのとき、適所にねじ込まれ、それによって、密閉ストリップ２００は、各クラッディングシート３００の裏面に接触する一次接触シール１２２、１４２を形成する。
【００３５】
このような構成により、さらに、密閉ストリップの両側に、ある２つの圧力均等化された排水チャネル１２３、１４３が設けられている。一次接触シール１２２、１４２を通り過ぎて移動しようとするあらゆる水分は、隣接した排水チャネルを通って排出されることが可能である。別の対の二次接触シール１２４，１４４が、それぞれのクラッディングシートと接触する、対応するフランジ部分１２５、１４５によって形成されている。これら対の二次接触シール間において、それぞれの二次排水チャネル１２６、１４６は、排水チャネル１２３，１４３とほぼ同一の方法で設けられている。
【００３６】
そこで、本発明の目地板１００が、耐侯性シールを設けるために、追加のパッキン、ガスケットなどのための必要性を取り除くだけでなく、耐侯性シールを設けるのに、１つの接触領域だけに依存していないということは、当業者には明らかである。どちらかと言えば、それは、クラッディングシートの裏側の水分の移動を実質的に排除するために、排水チャネルがそのあいだに配置された一続きの一次接触シールと二次接触シールを設けている。目地板１００が、さまざまなパッキング材料およびガスケット材料の準備とアラインメントとを必要とする図２に示された従来のシステム全体にわたる設置に代わる、いっそう簡単なメカニズムをもたらすことは、さらに、認識されるべきである。
【００３７】
本発明の別の利点は、クラッディングシートに対する固定ねじの動きを可能とするための目地板１００の能力に関する。図６、図９および図１０に最も明確に示されるように、シートエッジ３１０に沿う固定具３２５のそれぞれは、隣接した目地板のフランジ部分１２５／１４５上に備えられる凹型溝、または排水チャネル１２６／１４６の１つを通って延在している。クラッディングシートの裏面が、フランジと直接接触していない凹型溝内にこれらの固定具３２５を位置させることによって、固定具３２５は、傾き、そして回動することができ、それによって、鉛直方向と水平方向の両方において、目地板に対するシートの多少の横方向の動きを受け入れる。したがって、シートが縮む場合、固定具のねじの外側部分は、シートの中央の方に引張られる。シートが目地板のフランジと直接接触した状態である場合、従来技術の場合のように、ねじの大きな回動は生じることがない。しかし、本発明の場合、固定具は、フランジとの接触点周りに傾くか、または旋回することが可能であり、それによって、加えられた応力に応じて、二次元における隣接したシート間の、およびシートと目地板とのあいだの限られた範囲の相対移動を受け入れる。
【００３８】
目地板のウェブが、類似の方法で、それを通って延在する関連した固定ねじの旋回を可能とするように機能する、類似の長手方向凹部または溝１５０を包含することは、さらに、注目されるであろう。このことは、図８および図１１に示されるように、これらの目地板が、逆の方向において、中間位置に設置される場合、とくに有利であるが、さらに、目地板のウェブを壁またはフレームに固定するねじの回動を可能とすることによって、通常の方向においても、有益である（図６、図９および図１０参照）。
【００３９】
ゲージの厚さを変えることによって、高い強度の材料または低い強度の材料を使用することによって、異なる材料を使用することによって、または断面形状を変えることによって、目地板が、クラッディングシートによって加えられるように、またはクラッディングシートに加えられるように予想される応力と調和するようにとくに調整し得ることは明らかであろう。さらに、凹型固定溝および排水チャネル１２６／１４６の形状は、目地板がクラッディングシートの付加的縮み、または膨張を受け入れることが可能であるように変えられることができる。これらのすべての点で、本発明は、従来技術全体にわたって実際的かつ商業的な、かなりの改善を表わしている。
【００４０】
本発明を特定の例示を参照として記述してきたが、本発明が、多数の別の形状で具体化できることは、当業者には明らかであろう。とくに、密閉ストリップおよび目地板は、メタルまたはプラスチックを含有するあらゆる適切な材料で構成することが可能である。そのうえ、目地板は、必要条件により、弾性的に、または塑性的に変形するように形成されることが可能である。
【図面の簡単な説明】
【図１】  従来のクラッディングシステムの正面図である。
【図２】  従来のクラッディングシステムの断面図である。
【図３】  従来のクラッディングシステムの断面図である。
【図４】  本発明の第１の実施の形態によるシルクハット型目地板の断面図である。
【図５】  図４のシルクハット型目地板を使用する密閉ストラップの断面図である。
【図６】  現場における、図４のシルクハット型目地板および図５の密閉ストリップを示す拡大断面図である。
【図７】  本発明にかかわるクラッディングシート取り付けシステムの正面図である。
【図８】  クラッディングシートの中間領域または内側領域を支持するために、逆の方向に位置されるシルクハット型目地板を示す断面図である。
【図９】  鉛直平面におけるフランジの取付けねじの回動を示す図６の鉛直での目地板についての長手方向の断面図である。
【図１０】  本発明によるシルクハット型の別の実施の形態を示す、図６に類似する断面図である。
【図１１】  反対方向の図１０のシルクハット型目地板を示す図である。
【図１】
0004717220.tif 000002
【図２】
0004717220.tif 000003
【図３】
0004717220.tif 000004
【図４】
0004717220.tif 000005
【図５】
0004717220.tif 000006
【図６】
0004717220.tif 000007
【図７】
0004717220.tif 000008
【図８】
0004717220.tif 000009
【図９】
0004717220.tif 000010
【図１０】
0004717220.tif 000011
【図１１】
0004717220.tif 000012